【事件の表示】
　特願２００５−２４８１３２「記憶保持装置および記憶保持方法」拒絶査定不服審判事件〔平成１８年　３月　２日出願公開、特開２００６−　６０８３８〕について、次のとおり審決する。
【結　論】
　本件審判の請求は、成り立たない。
【理　由】
第１　手続の経緯
　
　本願は、平成７年６月１２日に出願した特願平７−１４４８５４号の一部を平成１７年８月２９日に新たな特許出願としたものであって、平成１８年６月１４日付け拒絶理由通知に対して平成１８年８月２１日付けで手続補正がなされたが、平成１８年９月２２日付けで拒絶査定がされた。これに対し、平成１８年１０月２６日付けで拒絶査定不服審判が請求されるとともに、平成１８年１１月２７日付けで手続補正がなされた。
　その後、平成２０年９月２４日付けで前置報告書を利用した審尋がなされ、平成２０年１２月１日付けで回答書が提出されたものである。
　
第２　平成１８年１１月２７日付けの手続補正についての補正却下の決定
　
［補正却下の決定の結論］
　平成１８年１１月２７日付けの手続補正を却下する。
　
［理由］
１．平成１８年１１月２７日付けの手続補正（以下「本件補正」という。）について
　本件補正は、特許請求の範囲については、補正前に、
「【請求項１】
　記録媒体に記録された情報信号の位置情報を登録する記憶保持装置であって、
　記録再生装置に脱着可能に電気的に接続されるための入出力回路を有し、
　複数の上記位置情報で構成される１つのデータセットが複数でなるデータ形式を登録することが可能であり、
　上記記録再生装置と上記入出力回路で電気的に接続され、登録された上記位置情報を供給し、上記記録再生装置は供給された上記位置情報に基づいて上記情報信号の記録または再生の動作を制御し、
　上記記録再生装置の制御によって、本体の記憶手段との間での上記位置情報のコピーが制御されることを特徴とする記憶保持装置。
　【請求項２】
　上記記録再生装置内部の記憶手段に記憶された上記位置情報を内部に有する不揮発性メモリにコピーすることを特徴とする請求項１に記載の記憶保持装置。
　【請求項３】
　上記記録再生装置の表示制御手段により、上記記憶保持装置に登録された上記位置情報のエディットタイトルを表示することを特徴とする請求項１に記載の記憶保持装置。
　【請求項４】
　上記記憶保持装置の制御手段により、上記記憶保持装置に登録された上記位置情報のエディットタイトルを入力することが可能なことを特徴とする請求項１に記載の記憶保持装置。
　【請求項５】
　記録媒体に記録された情報信号の位置情報を登録する記憶保持方法であって、
　記録再生装置に脱着可能に電気的に接続されるための入出力回路を用いて、
　複数の上記位置情報で構成される１つのデータセットが複数でなるデータ形式を登録することが可能であり、
　上記記録再生装置と上記入出力回路で電気的に接続され、登録された上記位置情報を供給し、上記記録再生装置は供給された上記位置情報に基づいて上記情報信号の記録または再生の動作を制御し、
　
上記記録再生装置の制御によって、本体の記憶手段との間での上記位置情報のコピーが制御される
とあったところを、
　
本件補正後、
「【請求項１】
　記録媒体に記録された情報信号の位置情報を登録する記憶保持装置であって、
　記録再生装置に脱着可能に電気的に接続されるための入出力回路を有し、
　複数の上記位置情報で構成される１つのデータセットが複数でなるデータ形式を登録することが可能であり、
　上記記録再生装置と上記入出力回路で電気的に接続され、登録された上記位置情報を供給し、上記記録再生装置は供給された上記位置情報に基づいて上記情報信号の記録または再生の動作を制御し、
　上記記録再生装置の制御によって、本体の記憶手段との間での上記位置情報のコピーが制御され
、上記位置情報のコピーの制御は上記位置情報のコピーにファイル名を入力するための制御を含む
　【請求項２】
　上記記録再生装置内部の記憶手段に記憶された上記位置情報を内部に有する不揮発性メモリにコピーすることを特徴とする請求項１に記載の記憶保持装置。
　【請求項３】
　上記記録再生装置の表示制御手段により、上記記憶保持装置に登録された上記位置情報のエディットタイトルを表示することを特徴とする請求項１に記載の記憶保持装置。
　【請求項４】
　上記記憶保持装置の制御手段により、上記記憶保持装置に登録された上記位置情報のエディットタイトルを入力することが可能なことを特徴とする請求項１に記載の記憶保持装置。
　【請求項５】
　記録媒体に記録された情報信号の位置情報を登録する記憶保持方法であって、
　記録再生装置に脱着可能に電気的に接続されるための入出力回路を用いて、
　複数の上記位置情報で構成される１つのデータセットが複数でなるデータ形式を登録することが可能であり、
　上記記録再生装置と上記入出力回路で電気的に接続され、登録された上記位置情報を供給し、上記記録再生装置は供給された上記位置情報に基づいて上記情報信号の記録または再生の動作を制御し、
　
上記位置情報のコピーの制御は上記位置情報のコピーにファイル名を入力するための制御を含む
　ことを特徴とする記憶保持方法。」
とするものである。（なお、上記下線は補正箇所で当審で付与した。）
　
２．補正の目的の適否についての検討
　
　まず、本件補正が適法なものであるか否かについて、請求項５について検討する。
　本件補正前には、「上記記録再生装置の制御によって、本体の記憶手段との間での上記位置情報のコピーが制御される」とあったところが、本件補正後には、「上記位置情報のコピーの制御は上記位置情報のコピーにファイル名を入力するための制御を含む」と、「上記記録再生装置の制御によって、本体の記憶手段との間での」との発明特定事項が削除されていることが明らかであるから、結局、本件補正は、平成６年法律第１１６号改正附則第６条によりなお従前の例によるとされる同法による改正前の特許法第１７条の２第３項各号に掲げるいずれかの事項を目的とするものと認めることができない。
　
３．本件補正についてのむすび
　
　以上のとおり、本件補正は、平成６年法律第１１６号改正附則第６条によりなお従前の例によるとされる同法による改正前の特許法第１７条の２第３項の規定に違反するので、同法第１５９条第１項の規定において読み替えて準用する同法第５３条第１項の規定により却下すべきものである。
　
第３　本願発明
　
１．本願発明について
　
　平成１８年１１月２７日付けの手続補正は上記のとおり却下されたので、本願の請求項５に係る発明（以下「本願発明」という。）は、平成１８年８月２１日付け手続補正により補正された特許請求の範囲の請求項５に記載された事項により特定される、前記「第２［理由」１．」の本件補正前の「請求項５」として記載したとおりのものである。
　
２．引用例
　
　原査定の拒絶の理由に引用された、本願出願前に頒布された刊行物である特開平６−２６７２５５号公報（平成６年９月２２日公開、以下「引用例」という。）には、編集装置に関して、図面と共に、以下の記載がある。（なお、下線は当審で付与した。）
　
（１）「【０００１】
【産業上の利用分野】本発明は、例えば放送用
ビデオテープレコーダ（以下「ＶＴＲ」という。）に適用して好適な編集装置
【０００２】
【従来の技術】従来、例えば、放送用ＶＴＲを使用した生録、編集、ダビング等の作業は比較的長い時間を必要とする。そして、このＶＴＲでの
画像、音声の途中に、図１７に示すようにいくつかのキューアップのための頭出しポイントの番号及びタイムコード１００を設定して頭出しを行う
【０００３】
【発明が解決しようとする課題】しかし、上述した
従来の編集装置では、キューアップ操作の際、頭出しポイントの番号へのタイムコードしか記憶することが出来ない
　
（２）「【００１２】
【実施例】以下に、図１乃至図１６を参照して本発明の編集装置の一実施例について詳細に説明する。図１は、本例の
編集装置の主としてモード制御を実行するコントロールパネルのマイクロコンピュータ
ＣＰＵ１は、
不揮発性ＲＡＭ１１よりキューアップポイントを読み出して
【００１３】図２に図１のブロック図の特に編集制御のための機能ブロック図を示す。図２において、
コントロールパネル１２で生成されたキューアップコマンド信号は、インターフェースケーブル１３を介して、ＶＴＲのシステムコントローラ５に送出され、コマンド信号に対応した動作が行われる
【００１４】キー入力操作部４でキー入力されると、キー入力に対応した信号がキー入力制御部１４へ入力される。
キー入力制御部１４では、ワーク用メモリ１５上に記憶してあった時点でのモードに従って、キー入力信号をコマンド生成部１６に送出する。キー入力信号を受けたコマンド生成部１６は、この信号からテープ位置に適応するキューアップコマンドを生成してＶＴＲのシステムコントローラ５に送出する
【００１５】一方、キー入力制御部１４からの信号によって、ワーク用メモリ１５の内部のモードの情報も書き換えられて記憶される。また、タイトル、プリロールタイム等のデータは不揮発性メモリ１１に記憶される。表示画像生成手段１７は、メモリ内部の情報を元にして表示画像データを生成し、ディスプレイ１０に表示する。
【００１６】
コントロールパネル１２よりシステムコントローラ５内のコマンド受信部１８に送られたキューアップコマンドは、キューアップ信号に変換され、テープ走行制御部１９へ送られる
コマンド受信部１８は、キューアップポイントメモリ２２に、所望するキューアップポイントを記憶させる
【００１７】
キューアップ動作実行中はテープ２３に書き込まれたタイムコード情報を再生ヘッド２４で読み取り、タイムコード再生系２５で再生し、タイムコード比較部２６へ送る。タイムコード比較部２６では、テープ２３から読み取られたタイムコードと、キューアップポイントメモリ２２に記憶してあるデータとを比較して、一致したらテープ走行を停止するべく、テープ走行制御部１９に信号を送る
　
（３）「【００２３】図７の表示状態の時には、ステップＳ１のモジュールが起動される。
ステップＳ１でサーチキー（ＳＥＡＲＣＨ）が押されたことを認識すると、ステップＳ２に進み、この場合、１５番のキューアップポイント、タイムコード０１：００：００：００へのキューアップコマンドをシステムコントロールに送出する
　
（４）「【００３６】例えば、
テープに番号を付して、タイトルにその番号と内容を記憶させれば、見出しを形成することができる
　
　引用例は編集装置に関するものであるが、不揮発性メモリにキューアップのためのタイムコードを記憶するものであることを踏まえて上記摘示事項及び図面の記載を総合勘案すると、次の発明（以下「引用発明」という。）が記載されているものと認める。
　
「複数の頭出しポイント番号及びタイムコードからなるキューアップポイントを不揮発性メモリに記憶する記憶方法であって、
　編集装置のコントロールパネルのＣＰＵは、不揮発性メモリよりキューアップポイントを読み出し、キューアップコマンドを生成し、インターフェースケーブルを介して、ＶＴＲのシステムコントローラに送出し、システムコントローラ内のコマンド受信部に送られたキューアップコマンドをキューアップ信号に変換し、テープ走行制御部に送り、また、コマンド受信部はキューアップポイントメモリに、所望するキューアップポイントを記憶させ、キューアップ動作実行中はテープに書き込まれたタイムコード情報を読み取り、タイムコード再生系で再生し、タイムコード比較部へ送り、タイムコード比較部で、テープから読み取られたタイムコードと、キューアップポイントメモリに記憶してあるデータと比較して一致したらテープ走行を停止させる
　記憶方法。」
　
３．対比
　
　そこで、本願発明と引用発明とを対比する。
　
（１）引用発明の「テープ」及び「タイムコード」は、本願発明の「記録媒体」及び「位置情報」に相当する。
　そして、引用発明の「タイムコード」は、テープに記録された画像、音声（情報信号）の頭出しのためのもの（上記３．（１））であり、また、タイムコードを不揮発性メモリに記憶（登録）するから、引用発明と本願発明とは、「記録媒体に記録された情報信号の位置情報を登録する記憶保持方法」で共通する。
（２）メモリ回路を有する電子回路において、メモリ回路である「不揮発性メモリ」はインターフェース回路、すなわち入出力回路を介してデータバスに接続されるのが一般的であるから、引用発明は、本願発明の「電気的に接続されるための入出力回路を用いて」に相当する構成を備えている。
（３）引用発明の「キューアップポイント」は、複数記憶されるから、引用発明と本願発明とは「複数の位置情報で構成される」「データ形式を登録することが可能であり」で共通する。
（４）引用発明の「ＶＴＲ」は、本願発明の「記録再生装置」に相当する。
　そして、引用発明の「不揮発性メモリよりキューアップポイントを読み出し、キューアップコマンドを生成し、インターフェースケーブルを介して、ＶＴＲのシステムコントローラに送出され、」「システムコントローラ内のコマンド受信部に送られたキューアップコマンドをキューアップ信号に変換し、テープ走行制御部に送り、また、コマンド受信部は、キューアップポイントメモリに、所望するキューアップポイントを記憶させ、キューアップ動作実行中はテープに書き込まれたタイムコード情報を再生ヘッドで読み取り、タイムコード再生系で再生し、タイムコード比較部へ送り、タイムコード比較部で、テープから読み取られたタイムコードと、キューアップポイントメモリに記憶してあるデータと比較して一致したらテープ走行を停止させる」は、本願発明の「登録された位置情報を供給し、」「記録再生装置は供給された上記位置情報に基づいて上記情報信号の記録または再生の動作を制御し、」に相当する。
　
　そうすると、本願発明と引用発明とは、次の点で一致する。
　
＜一致点＞
「記録媒体に記録された情報信号の位置情報を登録する記憶保持方法であって、
　電気的に接続されるための入出力回路を用いて、
　複数の上記位置情報で構成されるデータ形式を登録することが可能であり、
　登録された上記位置情報を供給し、記録再生装置は供給された上記位置情報に基づいて上記情報信号の記録または再生の動作を制御する記憶保持方法。」の点。
　
　そして、次の各点で相違する。
　
＜相違点＞
（ａ）本願発明は、「脱着可能に」と特定されるのに対し、引用発明はそのような特定がなされていない点。
　
（ｂ）本願発明は、「記録再生装置」に入出力回路を用いるとしているのに対し、引用発明は、そのようになされていない点。
　　
（ｃ）「データ形式」について、本願発明は、「複数の位置情報で構成される１つのデータセットが複数でなる」とするものであるのに対し、引用発明は、そのような特定がなされていない点。
　
（ｄ）本願発明は、「記録再生装置の制御によって、本体の記憶手段との間での位置情報のコピーが制御される」としているのに対し、引用発明は、そのような特定がなされていない点。
　
４．判断
　
　そこで、上記各相違点について検討する。
　
相違点（ａ）について
　メモリ回路を有する電子回路において、メモリ回路を電子回路に脱着可能にすることは周知（特開昭６２−１８０５７８号公報（２頁右下欄４〜１０行、第３図）、拒絶査定時に提示された特開平５−２８５５号公報（段落【００１１】【実施例】の記載）等参照）であり、引用発明においても、メモリ回路である不揮発性メモリを脱着可能にとすることは当業者が適宜なし得る程度のことである。
　
相違点（ｂ）について
　編集機能を有する記録再生装置は周知（特開平４−７０２８６号公報（「Ｂ発明の概要」、「Ｈ発明の効果」の記載）、特開平５−２９２４４３号公報（【従来の技術】の記載）等参照）であるから、引用発明において、編集装置をＶＴＲに一体化させた記録再生装置とすることは当業者が容易に想到できるものであり、その場合に、当該記録再生装置に入出力回路を用いることは自明の事項または適宜なし得るものである。
　
相違点（ｃ）について
　引用例には、キューアップポイントに関連してテープに番号を付してその番号を記憶すること（上記（２．（４））が記載されており、複数のテープに対するキューアップポイントを設定することが示唆されているから、引用発明において、テープ毎にキューアップポイントを整理して登録するような構成とすること、即ち相違点（ｃ）の、「１つのデータセットが複数でなる」データ形式とする程度のことは当業者が容易に想到できるものである。
　
相違点（ｄ）について
　引用発明は、「不揮発性メモリよりキューアップポイントを読み出し、」「ＶＴＲのシステムコントローラに送出し、」「キューアップポイントメモリに、所望するキューアップポイントを記憶させ」るのであるから、要するに、不揮発性メモリからキューアップポイントメモリにタイムコード（位置情報）をコピーしているものである。
　そして、コピーを行うためには、コピーのための制御が行われることは当然のことであり、また、相違点（ｂ）で検討したように、編集機能を有する記録再生装置は周知であるから、引用発明において、ＶＴＲの制御によって、不揮発性メモリとキューアップポイントメモリとの間でのタイムコードのコピーが制御されること、即ち相違点（ｄ）の、「記録再生装置の制御によって、本体の記憶手段との間での位置情報のコピーが制御される」とすることは当業者が適宜なし得る程度のことである。
　
　なお、審判請求人は、審尋に対する回答書において、『（５）また、請求項５に係る発明は、請求項１に係る発明「・・・記憶保持装置」に対応して記載した方法発明であり、請求項１に記載の（Ａ）〜（Ｆ）に対応する構成を全て備えております（「３．本願発明と引用文献１〜５に記載の発明との対比、及び本願発明の特許性」）。』旨主張している。しかしながら、「第２［理由］２．」で検討したように、本件補正後の請求項５は、「上記記憶保持装置の制御によって、本体の記憶手段との間での」との発明特定事項を具備していないのであるから、請求人の上記主張は採用できない。
　
　そして、上記相違点を総合的に判断しても、本願発明が奏する効果は引用例及び周知技術から当業者が十分に予測できたものであって格別なものとはいえない。
　
　したがって、本願発明は、引用例に記載された発明及び周知技術に基づいて当業者が容易に発明をすることができたものである。
　
４．むすび
　
　以上のとおり、本願の請求項５に係る発明は、特許法第２９条第２項の規定により特許を受けることができない。
　したがって、本願は、その余の請求項について論及するまでもなく拒絶すべきものである。
　
　よって、結論のとおり審決する。